(57)【要約】【課題】接続端子のハウジングの端子収容孔への挿入時に挿入誤りがなくなるようにする。【解決手段】コネクタハウジング１１には、電線付きの接続端子を収容するための複数個の端子収容孔１３の入口部が設けられ、この入口部一面に板体１４を介してシート１５が接着されている。接続端子２１の挿入に際しては、例えば左手でコネクタハウジング１１を持ち、右手で１個ずつ接続端子２１を持ち、シート１５のパターンを見ながら接続端子２１に接続した電線２２の基調色、色模様と照合しながら、接続端子２１をシート１５で指示されている個所の端子収容孔１３に、シート１５の切込み１５ｂを押し拡げながら突き刺すように挿入する。【選択図】図５
2008021490.tif 000002
【特許請求の範囲】
【請求項１】
電線付きの複数の接続端子をハウジング後面の端子収容孔の入口から挿入して収容するコネクタハウジングにおいて、前記端子収容孔の入口に挿入すべき前記接続端子に接続した前記電線を区別し該当の前記接続端子の挿入位置を示すマークを示したシートを前記端子収容孔の入口面に接着し、該シートの該当の前記マークを突き抜いて前記接続端子を前記端子収容孔に挿入することを特徴とするコネクタハウジング。
【請求項２】
前記シートには前記接続端子が突き抜き易いように予め切れ目を形成したことを特徴とする請求項１に記載のコネクタハウジング。
【請求項３】
前記マークは前記電線に付した識別記号と一致する識別記号としたことを特徴とする請求項１に記載のコネクタハウジング。
【請求項４】
前記マークは前記電線の被覆の色、模様と一致するようにしたことを特徴とする請求項３に記載のコネクタハウジング。
【請求項５】
前記シートは前記端子収容孔の入口部と同形状に孔部を形成した板体の表面に接着し、該板体を前記ハウジングの後面に接着したことを特徴とする請求項１に記載のコネクタハウジング。
【発明の詳細な説明】
【技術分野】
【０００１】
本発明は、接続端子を内蔵するコネクタハウジングに関するものである。
【背景技術】
【０００２】
コネクタハウジングは相手側コネクタハウジングと嵌合して、内部に収容した接続端子同士を電気的に接続する機能を有している。接続端子をコネクタハウジングに収容するには、電線を接続した接続端子をコネクタハウジングの後方から１個ずつ所定の端子収容孔に挿入する。
【発明の開示】
【発明が解決しようとする課題】
【０００３】
しかし接続端子の挿入は、接続端子の数が多くなると、端子収容孔の挿入個所を間違える虞れが多分にある。この挿入誤りが生ずると、接続した電気機器が正常に作動しなくなり、甚しい場合には電気機器の故障を惹き起こすこともある。従って、出荷時に検査を行うことになるが、検査において挿入ミスが発見されると、分解して再組立をしなければならない。
【０００４】
このために特許文献１には、例えば図６に示すようにハウジング１の端子収容孔２の周囲に設けた周壁３の内側に記号４を画き、この記号４を接続端子に付設したケーブルの記号と照合しながら接続端子を端子収容孔２に挿入することが開示されている。
【０００５】
しかしコネクタハウジングによっては、端子収容孔２の周囲に周壁３を設けないこともあり、設けた場合においても、接続端子を挿入するにつれ接続端子に付設した電線によって記号４が見えなくなってしまう。
【０００６】
本発明の目的は、上述の課題を解決し、接続端子のハウジングの端子収容孔への挿入時の挿入誤りを解消するコネクタハウジングを提供することにある。
【０００７】
【特許文献１】ＷＯ２００４−０４２８７８号公報
【課題を解決するための手段】
【０００８】
上述の目的を達成するための本発明に係るコネクタハウジングの技術的特徴は、電線付きの複数の接続端子をハウジング後面の端子収容孔の入口から挿入して収容するコネクタハウジングにおいて、前記端子収容孔の入口に挿入すべき前記接続端子に接続した前記電線を区別し該当の前記接続端子の挿入位置を示すマークを示したシートを前記端子収容孔の入口面に接着し、該シートの該当の前記マークを突き抜いて前記接続端子を前記端子収容孔に挿入することにある。
【発明の効果】
【０００９】
本発明に係るコネクタハウジングによれば、ハウジングの後面の端子収容孔の入口部にシートを接着して、挿入すべき接続端子に付設した電線の表示を行い、この表示通りに接続端子を挿入することにより、挿入誤りが発生することがなくなる。特に、夜間でかつ作業時間が限られている鉄道用通信ケーブルの接続に好適に用いることができる。
【発明を実施するための最良の形態】
【００１０】
本発明を図示の実施例に基づいて詳細に説明する。
図１はコネクタハウジング１１、１２の斜視図を示し、コネクタハウジング１１、１２同士を嵌合し、それぞれに収容した接続端子同士を電気的に接続する。コネクタハウジング１１、１２の後面（コネクタハウジング１２の後面は図示せず）には、電線付きの接続端子を収容するための複数個の端子収容孔１３の入口部が設けられ、この入口部一面に板体１４を介して後述するシート１５が接着されている。なお、コネクタハウジング１１には雄型接続端子が挿着され、コネクタハウジング１２には雌型接続端子が挿着するようにされている。
【００１１】
コネクタハウジング１２の側面には回動レバー１６が設けられ、回動レバー１６に設けたカム溝１７がコネクタハウジング１１の両側面に設けたピン１８と係合して、回動レバー１６の回動によるてこ作用により、コネクタハウジング１１、１２同士を嵌合、解離するようになっている。そして、嵌合後は回動レバー１６に設けた係止部材１９がハウジング１１に設けた係止受部２０に係止して、ハウジング１１、１２同士が不時に解離されないようにされている。
【００１２】
図２は挿入すべき雄型の接続端子２１の斜視図であり、金属製の接続端子２１には圧着により電線２２が接続され、電線２２の被覆には電線２２ごとに特有の色、模様が付されている。
【００１３】
図３はコネクタハウジング１１の分解斜視図であり、コネクタハウジング１１の後面には、この後部の端子収容孔１３の配置パターンと同様に配置した孔部１４ａが形成された合成樹脂製の板体１４が接着され、この板体１４にシート１５が接着されている。
【００１４】
図４はシート１５の正面図であり、シート１５は例えば薄い丈夫な合成樹脂フィルムにより形成されている。接続端子２１を板体１４の孔部１４ａを挿通し、正しく端子収容孔１３内に挿入するために、端子収容孔１３に該当する個所ごとに電線２２の色、模様と合致したマーク１５ａがカラー印刷され、端子収容孔１３の中心に相当する位置には、接続端子２１が突き抜き易いようにそれぞれ例えば十字状の切込み１５ｂが設けられている。
【００１５】
マーク１５ａ上に切込み１５ｂがあることが好適であるが、マーク１５ａは必ずしも端子収容孔１３の中心と一致しなくともよい。また、この切込み１５ｂの形状は、特に限定する必要はないが、十字状以外に、×、・、＊、―、／等の適宜な形状とすることができる。
【００１６】
なお、接続端子２１がシート１５を突き抜く際にシート１５の一部が千切れて、端子収容孔１３内に入り込まないように、シート１５の材質、厚みは適宜に選択することが望ましい。
【００１７】
実施例のハウジング１１、１２においては、多数個の端子収容孔１３が設けられており、それぞれに接続端子２１を挿入するようにされている。これらの接続端子２１に付設された電線２２は１本のケーブルとしてまとめられており、更にこれらの電線２２は数本ずつのグループに色分けされている。これらの幾つかのグループの電線２２は、例えばそれぞれ青（Ｂ）、黄（Ｙ）、赤（Ｒ）、緑（Ｇ）、白（Ｗ）の基調色に着色されたテープなどにより分類され、更に電線２２ごとに着色された筋状の模様により区別できるようにされている。
【００１８】
従って、シート１５にはこのような電線２２の基調色、模様に対応したマーク１５ａを含むパターンが印刷されており、該当の接続端子２１をその電線２２の基調色、色模様に基づいて、パターンに合わせて正しく端子収容孔１３に挿入できるようになっている。
【００１９】
接続端子２１の挿入に際しては、図５に示すように、例えば左手でコネクタハウジング１１を持ち、右手で１個ずつ接続端子２１を持ち、シート１５のパターンを見ながら接続端子２１に接続した電線２２の基調色、色模様と照合しながら、接続端子２１をシート１５で指示されている個所の端子収容孔１３に、シート１５の切込み１５ｂを押し拡げながら突き刺すように挿入すればよい。
【００２０】
なお実施例では、電線２２の識別記号として、電線２２の被覆の色模様を用いたが、識別記号は数値、ローマ字等としてもよい。
【００２１】
また、シート１５を板体１４を介してハウジング１１、１２に接着したが、シート１５をハウジング１１、１２の後面に直接に接着してもよい。また、夜間での作業などを考慮すると、シート１５は蛍光塗料で印刷することも考えられる。
【００２２】
実施例のコネクタハウジング１１、１２では、回動レバー１６によりコネクタハウジング１１、１２同士の嵌合、解離を操作するようにしたが、本発明はこの型式のコネクタハウジングに限られるものではない。
【図面の簡単な説明】
【００２３】
【図１】コネクタハウジングの斜視図である。
【図２】接続端子の斜視図である。
【図３】要部の分解斜視図である。
【図４】シートの正面図である。
【図５】コネクタハウジングに接続端子を挿入する場合の説明図である。
【図６】従来例のコネクタハウジングの斜視図である。
【符号の説明】
【００２４】
１１、１２  コネクタハウジング
１３  端子収容孔
１４  板体
１４ａ  孔部
１５  シート
１５ａ  マーク
１５ｂ  切込み
１６  回動レバー
１８  ピン
２１  接続端子
２２  電線
【図１】
2008021490.tif 000003
【図２】
2008021490.tif 000004
【図３】
2008021490.tif 000005
【図５】
2008021490.tif 000006
【図６】
2008021490.tif 000007
【図４】
2008021490.tif 000008